Podtech/llm-jp-corpus-v4-ja_patent huggingface dataset:
(57)【要約】【課題】  クリーンルームで捕集されたダストがステンレス製装置に由来するものか、アルミニウム合金製装置に由来するものかを検出する方法を提供する。【解決手段】  捕集されたダストに酸と酸化剤を滴下して加熱溶解し、鉄及びアルミニウムとそれぞれ異なる色調の錯体を形成する試薬を滴下して、その結果得られた呈色の色調から、ステンレスまたはアルミニウムの含有を検出することを特徴とする。【選択図】図１
2011039015.tif 000002
【特許請求の範囲】
【請求項１】
試料を酸で溶解した後、鉄イオン及びアルミニウムイオンと反応してそれぞれ異なる色調を呈する錯形成剤を添加し、その色調から試料の由来を判定する方法。
【請求項２】
前記試料の溶解剤として塩酸を使用し、錯形成剤としてキシレノールオレンジを使用したことを特徴とする請求項１の方法。
【請求項３】
前記試料に滴下する溶解剤および試薬の合計が１００マイクロリットル以下であることを特徴とする請求項２の方法。
【発明の詳細な説明】
【技術分野】
【０００１】  この発明は、ステンレス及びアルミニウム合金ダストの検出方法に関するものである。
【背景技術】
【０００２】  クリーンルーム等のクリーン環境下で生産活動をおこなっている産業分野は、現在では多岐にわたっている。これらの生産現場では、各種製造用設備が使用されているが、摩耗等による金属ダストの発生は避けがたいものである。そして、そのダストは製品への混入や付着により、品質低下を惹起する可能性があるものとなっている。
したがって、生産現場では、金属ダスト発生状況の把握がまず必要とされているが、簡単には進まないのが現状である。よく用いられているのはＳＥＭ−ＥＤＸ等の大型分析機器である。しかし、これらは装置価格が高価であり、ランニングコストも大きいと言わざるを得ない。一方、オンサイトで顕微鏡観察等を実施しても、由来を同定することは困難である。【０００３】  クリーンルームで使用されている製造設備の多くは、ステンレス製あるいはアルミニウム合金製のものが多いので、摩耗等により飛散するダストもステンレスあるいはアルミニウム合金であると考えられる。
大型分析装置以外での金属ダストの検出方法は、現在のところ殆ど知られていない。一方、微量の鉄を検出する方法としては、各種錯形成剤を用いた方法が存在する。しかし、その多くは、中性付近での厳密なｐＨ制御を必要とするものであり、検出操作の煩雑な感度が低いものであると言える。
更に、アルミニウムについては、吸光光度法の長い歴史の中でも特に選択的な錯形成試薬に欠けることが知られている元素である。そのため、低価格で効果的なアルミニウム合金ダストの検出方法を入手することは、困難であると言える。
【発明の開示】
【発明が解決しようとする課題】
【０００４】  捕集したダストの由来を調査する大型分析装置は、多大な費用を必要とする。したがって、安価で簡便なオンサイト検出方法が望まれている。
【課題を解決するための手段】
【０００５】  捕集したダスト試料を耐熱性と耐薬品性を併せ持つ時計皿等に置き、酸と酸化剤を添加して、加熱溶解する。その後、鉄及びアルミニウムと錯形成する溶液を滴下し、その色調から、当該ダストがステンレスあるいはアルミニウムを含有することを検出する。その場合、検出感度を向上させるため、滴下試薬の合計を１００マイクロリットル以下とする。
【発明の効果】
【０００６】  固形物であるダストに、微量の酸と酸化剤を滴下し加熱することにより、ダストを溶解し、鉄が存在すれば３価の鉄イオンに酸化できる。溶解した試料に錯形成試薬を滴下することにより、溶液中の３価の鉄イオン、あるいは、アルミニウムイオンが錯体を形成して呈色する。その色調が鉄とアルミニウムで異なるため、鉄とアルミニウムの識別が可能となる。ここで必要なものは、時計皿のような容器、試薬類と加熱装置、及びピペット類であるので、低価格で簡便な検出が可能となる。
【発明を実施するための最良の形態】
【０００７】  捕集されたダストを時計皿に置き、塩酸と酸化剤を滴下し、１００℃で３〜４分間加熱する。つぎに錯形成剤であるキシレノールオレンジ溶液と緩衝液を滴下してその色調を目視観察する。ダスト成分がステンレスの場合は、濃青色を示す。アルミニウムの場合は、鮮明な赤色を示す。
【実施例】
【０００８】  ステンレス試料及びアルミニウム試料から削り取った疑似ダストに上記の方法を適用した。操作手順を図１に、検出結果を図２に示す。
【図面の簡単な説明】
【０００９】
【図１】ダスト検出の手順
【図２】疑似ダストの検出結果
【図１】
2011039015.tif 000003
【図２】
2011039015.tif 000004
(57)【要約】      （修正有）【課題】電力量デマンドパルスを検出してその数を計り表示器に示し、なおかつＳＤカードに記録するデマンドパルス数記録器を提供する。【解決手段】ケース８外部に電流センサ１を設け、ケース内にアンプを設け、ケース内にコンパレータを設け、ケース内にマイコンを設け、ケース内外に液晶表示器４を設け、ケース外に取り外し可能なＳＤカード６を設けたデマンドパルス数記録器。【選択図】図２
2011039018.tif 000002
【特許請求の範囲】
【請求項１】
ケース外部に電流センサーを設け、ケース内にアンプを設け、ケース内にコンパレータを設け、ケース内にマイコンを設け、ケース内外に液晶表示器を設け、ケース外に取り外し可能なＳＤカードを設けたことを特徴とするデマンドパルス数記録器。
【発明の詳細な説明】
【技術分野】
【０００１】  この発明は、パルス電流を検出してその数を計り表示器に示し、なおかつＳＤカードに記録するデマンドパルス数記録器に関するものである。
【背景技術】
【０００２】  従来、パルス電流を検出してその数を計り表示器に示し、なおかつ内部メモリに保存するデマンドパルス数記録器はあった。
【発明の開示】
【発明が解決しようとする課題】
【０００３】  これは、つぎのような欠点があった。
内部メモリに保存したデータはＲＳ２３２ＣケーブルやＵＳＢケーブルなどを使ってパソコンに転送する必要があったので現場にパソコンを持って行く必要があった。
本発明は、以上のような欠点をなくすためになされたものである。
【課題を解決するための手段】
【０００４】  （イ）ケースの外部に電流センサを設ける。
（ロ）ケース内にアンプを設ける。
（ハ）ケース内にコンパレータを設ける。
（ニ）ケース内にマイコンを設ける。
（ホ）ケース内外に液晶表示器をを設ける。
（ヘ）ケース外に取り外し可能なＳＤカードを設ける。
本発明は、以上の構成よりなるデマンドパルス数記録器である
【発明の効果】
【０００５】  従来面倒で時間がかかるデータ転送が持ち運び簡単なＳＤカードを使うことにより簡単になった。現場にパソコンを持っていく必要もなくなった。
【発明を実施するための最良の形態】
【０００６】  以下、本発明の実施の形態について説明する。
（イ）電流センサ（１）で被測定電線（９）に流れるデマンドパルスを検出する。
（ロ）検出した信号をアンプ（２）で充分大きくする。
（ハ）大きくした信号をコンパレータ（３）を通してデジタルパルス信号にする。
（ニ）デジタルパルス信号をマイコン（５）で処理する。
（ホ）処理している状態やパルス数を液晶表示器（４）に表示する。
（ヘ）数えたパルス数をＳＤカード（６）に保存する。
（ト）保存したデータはＳＤカードを本器から取り外しパソコンのＳＤスロットに差し込み読むことが出来る。
本発明は、以上の構成よりなるデマンドパルス数記録器である。
【実施例１】
【０００７】  本発明を使用してパルス数を計るのには、パルス電流が流れている被測定電線（９）を電流センサ（１）でクランプする。スイッチ（７）を押して測定を開始する。
パルス数データははＳＤカード（６）に保存される。
本器は電力のデマンドパルス数記録器であるが、センサを交換すれば水量や風速などパルス数で量を計測するものに応用できる。
【図面の簡単な説明】
【０００８】
【図１】本発明の電気回路ブロック図
【図２】本発明の構成を示した斜視図
【符号の説明】
【０００９】１  電流センサ
２  アンプ
３  コンパレータ
４  液晶表示器
５  マイコン
６  ＳＤカード
７  スイッチ
８  ケース
９  被測定電線
【図１】
2011039018.tif 000003
【図２】
2011039018.tif 000004
(57)【要約】【課題】従来のアプリケーション開発では、特定のアプリケーションを導入するために長い期間と高額な導入費用が必要であり、アプリケーションの修正においても同様である。そのために導入側は容易にアプリケーションを導入・修正することができない。また、個別で開発したアプリケーションでは、情報共有や一元管理ができない。【解決手段】上記課題を解決するために本発明は、ベースシステムと機能毎のアプリケーションを切り離して考え、ベースシステムを導入することにより、必要な機能のアプリケーションだけを選択して導入することを可能とする。また、ベースシステムでのアプリケーション開発環境を一般に公開し、一般の開発事業者が機能毎のアプリケーションを容易に開発できるようにする。ベースシステムを構築することにより、アプリケーション間の関連付けを行う。【選択図】図１
2011039832.tif 000002
【特許請求の範囲】
【請求項１】
ブログやショッピングサイトをはじめ、Webアプリケーション及びサービスの開発に迅速に対応するための独自フレームワークを特徴とするWEBシステム。
【請求項２】
前記WEBシステムにおいて、独自フレームワークをベースシステムと、各機能を個別のアプリケーション（「ガジェット」と呼ばれる軽量なプログラム）に分け、ベースシステムにおける開発環境を一般公開し、誰でもガジェットを構築できるようすることを特徴とする請求項１記載のWEBシステム。
【請求項３】
前記WEBシステムにおいて、ガジェットをWEBサイトからダウンロードして、ベースシステムに組み込むだけで、簡単にWEBアプリケーションの構築ができることを特徴とする請求項１記載のWEBシステム。
【請求項４】
前記WEBシステムにおいて、既存ガジェットを新規ガジェットに組み替えることにより既存のデータを残したまま新しいWEBシステムに改善できることを特徴とする請求項１記載のWEBシステム。
【請求項５】
前記WEBシステムにおいて、個別にベースシステムを導入し、異なるガジェットを利用しているWEBシステムであっても、設定することにより、情報共有及び一元管理を可能とすることを特徴とする請求項１記載のWEBシステム。
【発明の詳細な説明】
【技術分野】
【０００１】
本発明は、インターネットにおけるWEBシステムに関する。
【背景技術】
【０００２】
従来のアプリケーション開発は、1社が長い月日とリソースを掛けて1アプリケーションを開発する必要があり、導入にあたり高額な初期費用を必要としている。また、一度導入したアプリケーションの修正には同様に長い月日とリソースを必要としている。
【発明の開示】
【発明が解決しようとする課題】
【０００３】
従来のアプリケーション開発では、特定のアプリケーションを導入するために長い期間と高額な導入費用が必要であり、アプリケーションの修正においても同様である。そのために導入側は容易にアプリケーションを導入・修正することができない。
また、個別で開発したアプリケーションでは、情報共有や一元管理ができない。
【課題を解決するための手段】
【０００４】
上記課題を解決するために本発明は、ベースシステムと機能毎のアプリケーションを切り離して考え、ベースシステムを導入することにより、必要な機能のアプリケーションだけを選択して導入することを可能とする。また、ベースシステムでのアプリケーション開発環境を一般に公開し、一般の開発事業者が機能毎のアプリケーションを容易に開発できるようにする。
ベースシステムを構築することにより、アプリケーション間の関連付けを行う。
【発明の効果】
【０００５】
本発明により従来のアプリケーション開発に必要であった初期費用・開発期間を飛躍的に削減・短縮できる。また、アプリケーションの組み替えのみで容易にアプリケーションの修正を行うことができる。
個別で本発明におけるベースシステムを導入し、異なるアプリケーションを導入した場合でも、システムの設定により情報の共有及び一括管理が可能である。
【発明を実施するための最良の形態】
【０００６】
ブラウザはInternet Explorer 7.0あるいは8.0（ともにマイクロソフト社登録商標）が望ましい。
【０００７】
以下、本発明の実施の形態として実施例を図１に基づいて説明する。
【実施例１】
【０００８】
本発明は利用者が申請を行い、本発明のベースシステムを導入後、必要なアプリケーション（ガジェット）をWEBサイトからダウンロードしてベースシステムに組み込むことでWEBシステムを構築する。また、複数のベースシステム間で異なる、若しくは同一のアプリケーションを導入した場合に、複数のベースシステム間で情報の共有や一元管理が可能となる。
【図面の簡単な説明】
【０００９】
【図１】導入例のイメージ図である。
【図１】
2011039832.tif 000003
(57)【要約】      （修正有）【課題】従来自動撮影を行う時に三脚を使用していたが、常時三脚を持ち歩く必要があった又人ごみの所では使用出来なかった。【解決手段】撮影機を取り付ける撮影機取り付け金具の垂直方向の角度を変えられる調節具を設け、撮影機取り付け台の前側の前部継ぎ手に伸縮機構、後ろ側の後部継ぎ手に伸縮棒を取り付ける。又下側取り付け台の左右に設けた側部溝に固定用具を通し上側に撮影機取り付け金具、前側に水準器、前部継ぎ手を持つた上側取付け台の前部継ぎ手を締め付け具により取り付ける。又上側に撮影機取り付け金具を持つた撮影機取り付け台の前側に孔を設け左右側面に側部溝を設け末端に固定用具を持つた伸縮機構を取り付ける事にによる自動撮影用器具。【選択図】図１
2011039464.tif 000002
【特許請求の範囲】
【請求項１】
撮影機取り付け台（５）の前側に水準器（２）左右に伸縮機構（４）を移動出来る状態で取り付け、上側に長孔（７）を持った角度変更箱（６）を取り付、調節具（８）を回す事により撮影機取り付け金具（１）が長孔（７）を回転移動し角度を変える事が出来る自動撮影用器具。
【請求項２】
上側に撮影機取り付け金具（１）を持つた撮影機取り付け台（５）の前側に水準器（２）前部継ぎ手（１１）を設け、伸縮機構（４）を締め付け具（１２）により取り付け、更に後ろ側に後部継ぎ手（１８）を設け、伸縮棒（１３）を締め付け具（１２）で取り付ける事による自動撮影用器具。
【請求項３】
末端にストッパー（２０）を設けた側部溝（１９）を左右に設けた下側取り付け台（１７）の後ろ側に後部継ぎ手（１８）を設け、締め付け具（１２）により伸縮棒（１３）を取り付け、更に上側に撮影機取り付け金具（１）を持つた上側取付け台（３）の前側に水準器（２）前部継ぎ手（１１）を設け、側部溝（１９）を通して固定用具（２１）により前部継ぎ手（１１）を締め付け具（１２）で取り付ける自動撮影用器具。
【請求項４】
上側に撮影機取り付け金具（１）を持つた撮影機取り付け台（５）の前側に水準器（２）前側に孔（２２）を設け末端に固定用具（２１）を持つた伸縮機構（４）を取り付け更に左右の側面に側部溝（１９）にこの固定用具（２１）を通し締め付け具（１２）により水平移動可能な状態で取り付ける事による自動撮影用器具。
【発明の詳細な説明】
【技術分野】
【０００１】本発明は、デジタルカメラ、撮影機付き携帯電話等で三脚を使用しないで自動撮影を行う分野に関する物である．
【背景技術】
【０００２】従来自動撮影を行う時に三脚を使用していた。
【発明の開示】
【発明が解決しようとする課題】
【０００３】そのために次のような問題点があった．
（イ）常時三脚を持ち歩く必要があった．
（ロ）三脚をセットするのに大変だった．
（ハ）人ごみの所では使用出来なかった
（ニ）準備に時間が掛かった
【課題を解決する手段】
【０００４】（イ）上記の問題点を解決する為、撮影機取り付け台を持っている姿が写真に写り難くする為撮影機取り付け金具の角度を変えられる様にした。
（ロ）伸縮機構を回転により撮影機取り付け台より離せるようにした。
（ハ）上側取付け台を後ろ側に水平移動出来る様にした。
（ニ）伸縮機構を側部溝に沿って前側に水平移動出来る様にした。
【発明の効果】
【０００５】その結果、次の効果が生じる．
（イ）三脚が不要である．
（ロ）撮影準備の時間が短い
（ハ）目立たないので恥ずかしくない
（ニ）気軽に自動撮影が出来る．
（ホ）撮影者側より撮影機の上下角度、水平角度を調整出来るので伸縮機構の角度を付けると手及び伸縮機構が画面に入らない
（ヘ）水準器が付いているので水平状態に出来る。
【発明を実施する為の最良の形態】
【０００６】（イ）図１は、撮影機取り付け台（５）の前側に水準器（２）左右に孔（２２）を設けパイプが移動する事により伸び縮む事が出来る伸縮機構（４）を移動出来る状態で取り付ける。
上側に長孔（７）を持った角度変更箱（６）を取り付、調節具（８）を回す事により撮影機取り付け金具（１）が長孔（７）を回転移動する。
使用する時は撮影機（９）を撮影機取り付け金具（１）に取り付け伸縮機構（４）を伸ばしリモートスイッチ（１５）を押すと電子シャッター（１４）が切れ撮影されるが撮影機（９）に上向き角度が付いていると手で持つている姿が映り難い。
角度を付ける方法として球面の長孔（７）を撮影機取り付け金具（１）を移動させ、締め付け具（１２）で固定させると角度が付き同様の効果がある。
（ロ）図２は、撮影機取り付け台（５）の前側に水準器（２）前部継ぎ手（１１）を設け伸縮機構（４）を締め付け具（１２）により取り付け、後ろ側に後部継ぎ手（１８）を設け、伸縮棒（１３）を締め付け具（１２）で取り付ける。
使用する時は伸縮機構（４）を上側に回転させ締め付け具（１２）で固定する。
（ハ）図３は、上側に撮影機取り付け金具（１）を持つた上側取付け台（３）の前側に水準器（２）前部継ぎ手（１１）を設ける。
下側取り付け台（１７）の左右に側部溝（１９）ストッパー（２０）を設け固定用具（２１）により側部溝（１９）前部継ぎ手（１１）の孔を通し締め付け具（１２）で取り付けるが使用する時は上側取付け台（３）を後ろ側に移動し締め付け具（１２）で固定する。
更に延長する時は伸縮機構（４）を伸ばし後部継ぎ手（１８）の伸縮棒（１３）を垂直に固定すると安定する。
（ニ）図４は上側に撮影機取り付け金具（１）を持つた撮影機取り付け台（５）の前側に孔（２２）を設け伸縮機構（４）を取り付け左右の側面に側部溝（１９）を設け固定用具（２１）を取り付け、更に後ろ側に後部継ぎ手（１８）を設け伸縮棒（１３）を締め付け具（１２）で取り付ける。
【図面の簡単な説明】
【０００７】
【図１】本発明の全体の使用例図である．
【図２】本発明の全体の使用例図である．
【図３】本発明の全体の使用例図である．
【図４】本発明の全体の使用例図である．
【符号の説明】１．撮影機取り付け金具  ２．水準器  ３．上側取付け台  ４．伸縮機構  ５．撮影機取り付け台  ６．角度変更箱  ７．長孔  ８．調節具  ９．撮影機  １０．台  １１．前部継ぎ手  １２．締め付け具  １３．伸縮棒１４．電子シャッター  １５．リモートスイッチ  １６．三脚取り付け具  １７．下側取り付け台  １８．後部継ぎ手  １９．側部溝  ２０．ストッパー  ２１．固定用具  ２２．孔
【図１】
2011039464.tif 000003
【図２】
2011039464.tif 000004
【図３】
2011039464.tif 000005
【図４】
2011039464.tif 000006
(57)【要約】【課題】発電には向いていないほど低速度な車いすの車輪の回転により発電機を回転させて充電池が充電できる最低限の電圧である１．２Ｖ以上の電圧を生み出さなくてはならない点。また発電機からの出力はリモコンなどの乾電池を用いた装置を操作するのに実用的な３．０Ｖ以上にしなくてはならない点。【解決手段】少ない回転数でも高い電圧を生み出すために回転子の磁石の極数が多いものにする必要があったので、ステッピングモーターを用いた上、トランスを利用した電圧増幅回路を搭載した。また出力時は発電時に並列つなぎになっている６本の充電池を直並列切り替え回路の使用により直列にすることにより３．０Ｖ以上の電圧を出力することを可能にした。【選択図】図１
2011135756.tif 000002
【特許請求の範囲】
【請求項１】
従来の自走式車いすに特別な改造もなく手軽に発電機を取り付け、それにより車輪の運動エネルギーから電気が生み出され、発電機内の充電池に蓄電できる点。
【請求項２】
ステッピングモーターとトランスを含む増幅回路によって車いすのような低速でも高い電圧が生み出せるようになっている点。
【請求項３】
発電機内臓のモーターを回転させるときに発電機を車いすの車体とは独立させ、重力を利用して回転させる点。
【請求項４】
蓄電時と出力時で充電池のつなぎ方を切り替えられる点。
【発明の詳細な説明】
【技術分野】
【０００１】車いすをこいでいる人の生み出したエネルギーを利用するため。
【背景技術】
【０００２】なし。
【発明の概要】
【発明が解決しようとする課題】
【０００３】車輪が回転する時の運動エネルギーを電気エネルギーとして利用する。
【課題を解決するための手段】
【０００４】車輪の回転で発電機に取り付けられたステッピングモーターを回転させ電気を発生させる。
【発明の効果】
【０００５】ステッピングモーターを利用することによって車いすのような低速度でも高い電圧を発生させることができ、その電気を充電池に蓄電することも可能になる。
【図面の簡単な説明】
【０００６】
【図１】正面図
【図２】側面図
【図３】車輪取り付用板の図
【発明を実施するための形態】
【０００７】従来の自走式車いすの後輪部分に発電機の板をクリップによって取り付ける。このとき車輪のスポークの本数に応じて板の種類を変える。
【実施例】
【０００８】車いすによって生み出された電気を利用して身の回りの乾電池を電源とする装置を動かす時、もしくは発電機から出力される電気を直接利用する時に利用できる。
【産業上の利用可能性】
【０００９】介護の現場での利用など。
【符号の説明】
【００１０】
【図１】
2011135756.tif 000003
【図２】
2011135756.tif 000004
【図３】
2011135756.tif 000005
(57)【要約】      （修正有）【課題】ムクドリは電線や街路樹などに大群で集まる。秋や冬の時期に、集団で寝る集団ねぐらを作る習性がある。人間に糞害や騒音をもたらす。バスターミナルや地下鉄出入り口や商店街などの場所にある電線に停まろうとする鳥類を無害に避けるために、鳥が停まれない電線カバーを提供する。【解決手段】一辺が繋がっている二つの半円筒形体の鳥避け電線カバー１は既設の電線に設置しやすい。軽量で、滑りリング３を設けて、回転しやすい性能を持つ。鳥避けの効果は長期的で尚かつ確実である。電線カバーは合成樹脂で成型するため、安いコストで、短時間での大量生産が可能である。【選択図】図１
2011135757.tif 000002
【特許請求の範囲】
【請求項１】
鳥が停まろうとする時に確実に回転できるように、電線カバーの重さは小鳥の体重の二分の一以下を基準に設計する。電線カバーは合成樹脂で成型し、鳥より軽いので、鳥が停まれない電線カバーである。回転しやすくするために、カバーと電線の接触面を減少する。カバーの両端の裏側に滑りリングを設けているので、回転の性能を確実に持つ電線カバーである。
【請求項２】
電線カバーの重さの基準を超えない範囲で、電線の直径の大小に応じて、見本例を参考にし、電線カバーの長さと厚さの設計を変動できる。
【請求項３】
装着する電線の直径より、電線カバーの内径はやや太い。電線の弛みでカバーが電線の真ん中へ寄せないようにするために、電線で定着した区切り点を設置する。装着したカバーに、回転の余地の隙間を与える。区切られた区間に電線カバーは前後にも左右にも固定せず、電線に付けるようにする。
【発明の詳細な説明】
【技術分野】
【０００１】  本発明は電線に停まろうとする鳥類を避けることに関する。
【先行技術文献】
【特許文献】
【０００２】
【特許文献１】特許公開平１１−１１３１４４号公報
【背景技術】
【０００３】  従来、市販の電線鳥避け器具は針山と電線カバーの二種類がある。針山はカラスや鳩のような大型な鳥には効果があるが、鳥に傷害を与える恐れがある。雀やムクドリのような小型な鳥は針と針の間や針の上に停まることができるため、効果が薄い。【０００４】  市販の電線カバーの鳥避けの原理は電線に設置して電線を太くし、鳥が掴みにくいようにしたものである。しかし、小鳥ならばカバーの上に停まることができる。特に、ムクドリは集団で何カ月もの長期間にわたり、電線をねぐらにする習慣がある。このような鳥に対して、長期的で有効に対処する装置がないのが現状である。
【発明の概要】
【発明が解決しようとする課題】
【０００５】  一つの装置で、すべての鳥を避けることと、鳥避けの長期効果を追求することが本発明の目的である。【０００６】  電線に停まっている鳥は寝ている時でも落ちることがない。その理由は鳥が電線に伏せて、両足で左右のバランスを取り、二本の後ろ指と六本の前指で、電線を掴み前後のバランスを取る。風が強くなるほど、力強く電線を掴むため落ちることはない。【０００７】  電線に停まろうとする鳥の前後のバランスを崩せば、鳥が前後に倒れるようになり、電線に停まれなくなる。鳥避けの目的を達成することができる。
【課題を解決するための手段】
【０００８】  本発明は一辺が繋がっている二つの半円筒形体のカバーで電線を包む。装着時に他の一辺にある雌雄構造で繋ぐ。この電線カバーは薄く短く軽いのが特徴である。見本例：電線カバー長さが１９０ｍｍ、内径が１５ｍｍ、厚さが１．５ｍｍと設計する。【０００９】  電線カバーは回転しやすいように設計する。電線は長期間露天に設置されているので、表面にさびやふんなどが付いている。そのため、カバーと電線の接触面を減少させる。電線カバーの両端の裏側に滑りリングを設ける。カバーは電線の上に架空するようにし、回転しやすくする。見本例：滑りリングが１ｘ１ｘ１ｍｍの半円環とすると、カバーと電線の接触面が９８．９％減少になる。
計算  （１９０−１−１）÷１９０＝０．９８９【００１０】  電線カバーは軽く設計する。日常よく見られる小鳥の雀の体重は約３０ｇである。電線カバーの重さは雀の体重の二分の一で、１５ｇ以下と設計する。その理由は電線カバーを３０ｇ以上としたら、雀がカバーの上にバランスを取る可能性がある。半分の１５ｇ以下にすると、雀がバランスを取ることができなくなる。そのため、鳥がこの軽くて回転しやすいカバーに停まろうとした途端に、電線カバーはすぐに回転するようになる。カバーの回転しやすい性能で鳥を避ける。【００１１】  電線カバーの材料に最適だと思われるのは合成樹脂のＰＰプラスチックである。プラスチック類の比重を比べてみるとＰＰが最も軽量であることが分かる。
ＰＰ：０．９０−０．９１
ＰＥ：０．９４１−０．９６５
ＰＳ：１．０５
ＡＢＳ樹脂：１．０５
ＰＥＴ：１．３４
ＰＡ：１．１４−１．３９
ＰＣ：１．２０−１．４３
ＰＯＭ：１．４１−１．６１
軟質ＰＶＣ：１．１６−１．３５
硬質ＰＶＣ：１．３６−１．４５【００１２】  見本例：電線カバーの長さが１９０ｍｍ、内径が１５ｍｍ、厚さが１．５ｍｍ、滑りリングが１ｘ１ｘ１ｍｍの半円環と設定すると、この電線カバーの重さは次のように計算できる。
直径  １５＋１＋１＋０．７５＋０．７５＝１８．５（ｍｍ）
円筒体積  １８．５ｘ３．１４ｘ１．５ｘ１９０＝１６５５５．６５（ｍｍ３）
円環体積  １ｘ１ｘ１ｘ１５ｘ３．１４ｘ２＝９４．２（ｍｍ３）
カバー体積  １６５５５．６５＋９４．２＝１６６４９．８５（ｍｍ３）
１６６４９．８５÷１０００＝１６．６５（ｃｍ３）
カバー重量  ＰＰ比重０．９１ｘ１６．６５＝１５．１５ｇ【００１３】  電線カバーは滑りやすく設計する。装着する電線の直径より、電線カバーの内径は２ｍｍ以上太いのが必要である。電線の直径の大小に応じて、電線カバーの長さと厚さの設計は見本例を参考して、変動することができる。【００１４】  電線の弛みでカバーが電線の真中へ寄せないようにするために、約１．９５メートルごとに、電線で定着した区切り点を設計する。装着したカバーに、回転の余地の隙間を与える。１．９５メートルの区切られた区間にカバーは前後にも左右にも固定せずに、電線に付けるようにする。
【発明の効果】
【００１５】  以上に記述したように、前後にも左右にも固定せず、軽くて回転しやすい電線カバーの上に、日常すべての鳥が停まろうとした途端に、電線カバーはすぐに回転するようになる。鳥がバランスを取ることができなくなる。この電線カバーは長期的に有効である。騒音もなく、鳥に傷害を与えることもなく電線の鳥避けの目的が達成できる。
【実施例】
【００１６】  通常の技術的知識を有する第三者が、本件発明を実施できるように、特許出願人が最良であると思う。また相談と合意の基に、受託生産、権利譲渡が有り得る。
【図面の簡単な説明】
【００１７】
【図１】本件発明の電線カバー裏からの概略図
【図２】本件発明の電線カバーを電線に装着した際の断面図
【図３】滑りリングの横断面図
【符号の説明】
【００１８】１、    電線カバーの本体
２、    本体のつなぎ
３、    滑りリング
４、    強化筋
５、    オス構造
６、    メス構造
７、    電線
【図１】
2011135757.tif 000003
【図２】
2011135757.tif 000004
【図３】
2011135757.tif 000005
(57)【要約】      （修正有）【課題】動物由来の特異のにおいが気にならず、長期間に渡ってプラセンタエキスの効果を有する機能性食品を提供する。【解決手段】豚胎盤抽出物、馬胎盤抽出物の少なくとも１つを複合調味料と混ぜることにより動物由来の特異なにおいを軽減した機能性食品、および当該機能性食品をスープとして飲用する機能性食品。複合調味料は、グルタミン酸ナトリウム、イノシン酸ナトリウム、グアニル酸ナトリウムなどの調味料と食塩、乳糖等を適当な配合比で調製したもので、特にグルタミン酸ナトリウムが好ましい。【選択図】なし【特許請求の範囲】
【請求項１】
豚胎盤抽出物、馬胎盤抽出物の少なくとも１つを複合調味料と混ぜることにより動物由来の特異のにおいを軽減することを特徴とする機能性食品
【請求項２】
スープとして飲用することを特徴とする請求項１に記載の機能性食品
【発明の詳細な説明】
【発明の詳細な説明】
【技術分野】
【０００１】  本発明は、豚胎盤抽出物、馬胎盤抽出物の少なくとも１つを複合調味料と混ぜることにより特異のにおいを軽減することを特徴とする機能性食品に関する発明である。
具体的には、豚胎盤抽出物、馬胎盤抽出物の少なくとも１つを複合調味料と混ぜ合わせることにより、動物胎盤抽出物特有のにおいを軽減させ簡単に摂取することを可能にした機能性食品である。
プラセンタエキスとして知られている動物胎盤抽出物は、様々な生理活性を持ち古来より服用されてきた。その作用には、肝機能改善作用、美白作用、滋養強壮などがあげられる。
【背景技術】
【０００２】  プラセンタエキスとして知られている動物胎盤抽出物は、様々な生理活性を持ち古来より服用されてきた。現在でも医療用医薬品や一般用医薬品として使用されている。また、この他にも様々な目的とした機能性健康食品として使用されている。しかし、動物胎盤抽出物は、動物由来の特異なにおいがあるため、錠剤やカプセル剤での流通が多く、薬を服用しているという感覚があり抵抗を持つ人も少なくない。
【発明の開示】
【発明が解決しようとする課題】
【０００３】  プラセンタエキスの効果を求めたいが動物由来の特異のにおいが気になり長期間の飲用に抵抗を持つ人も少なからず存在する。また、錠剤やカプセル剤の健康食品では、薬を服用しているようで抵抗を持つ人も多い。本発明の目的は、このような問題を解消し、簡単にかつ長期間に渡ってプラセンタエキスの効果を提供することにある。
【課題を解決するための手段】
【０００４】  本発明は、豚胎盤抽出物、馬胎盤抽出物の少なくとも１つを複合調味料と混ぜることにより動物由来の特異なにおいを軽減し、スープにすることで簡単にプラセンタエキスを摂取することを可能にした。
複合調味料は、グルタミン酸ナトリウム、イノシン酸ナトリウム、グアニル酸ナトリウムなどの調味料と食塩、乳糖等を適当な配合比で調製したもので、特にグルタミン酸ナトリウムが好ましい。
【発明を実施するための形態】
【０００５】  以下に、本発明について更に詳細に説明すると、本発明に係る豚胎盤抽出物、馬胎盤抽出物は、正常に出産した動物の胎盤を十分に洗浄し酵素等で抽出したエキスをスプレードライや凍結乾燥によって得られたものである。
本発明においては、使用できる胎盤は豚、馬などの哺乳類を主に使用するが、この限りではない。
【０００６】  複合調味料は、グルタミン酸ナトリウム、イノシン酸ナトリウム、グアニル酸ナトリウムなどの調味料と食塩、乳糖等を適当な配合比で調製したもので、特にグルタミン酸ナトリウムが好ましい。
【０００７】  本発明の機能性食品中における胎盤抽出物の配合量は、胎盤抽出物の量として５〜１５重量％で、特に８重量％が好ましい。
【０００８】  本発明の機能性食品中における複合調味料は、６０〜８０重量％で、特に７２重量％が好ましい。
【実施例】
【０００９】以下、本発明に係る実施例を示し、本発明について更に詳細に説明する。【００１０】  本発明の組成の１例を示す。
複合調味料７２％
（塩、デキストリン、グラニユー、乳糖、グルタミン酸ナトリウム、添加物）
ブタプラセンタエキス  ８％
デキストリン２０％【００１１】  上記組成で調合した粉末を１００ｍＬのお湯に溶かしスープとして１０名に試飲させた。１０名中１０名がにおいは気にならず飲みやすいという結果であった。
【発明の効果】
プラセンタエキスの効果を求めたいが動物由来の特異のにおいが気になり長期間の飲用に抵抗を持つ人や薬を服用しているようで抵抗を持つ人に対して、本発明はプラセンタエキスを簡単にかつ長期間に渡って接種することによりプラセンタエキスの持つ生理活性を得ることを可能にした。
(57)【要約】【課題】生分解性プラスチックの従来の使用形態は、材質の置き換え程度であることが多く、生分解性プラスチックを利用して新しい使用形態の植物育成用物品を提供することを目的としている。【解決手段】そこで本発明では、生分解性プラスチック製の綿２内に植物の種子３を入れ、生分解性プラスチック製の不織布４で覆い、この状態で超音波カッターにより所望の装飾形状に切断すると共に、切断個所を融着して構成する植物育成用物品１の製造方法を提案している。【選択図】図２
2011135844.tif 000002
【特許請求の範囲】
【請求項１】
生分解性プラスチック製の綿が生分解性プラスチック製不織布により覆われ、周囲の少なくとも一部が融着されており、綿内に植物の種子が入れられている植物育成用物品。
【請求項２】
生分解性プラスチック製の綿内に植物の種子を入れ、生分解性プラスチック製の不織布で覆い、この状態で超音波カッターにより所望の装飾形状に切断すると共に、切断個所を融着して構成することを特徴とする植物育成用物品の製造方法。
【発明の詳細な説明】
【技術分野】
【０００１】
本発明は植物育成用物品及びその製造方法に関するものである。
【背景技術】
【０００２】
近来、廃棄物問題を生じないプラスチックとして、生分解性のプラスチックスが注目されており、植物の生育用としても利用されている。
【０００３】
例えば特許文献１には、レーヨン短繊維、ポリ乳酸系短繊維、脂肪族ポリエステル短繊維等の生分解性プラスチック繊維により構成された育苗用不織布が記載されている。またポリ乳酸系のプラスチック繊維として、例えばテラマック（登録商標）の不織布により構成された植樹用ポットや園芸シートが販売されている。
【０００４】
このように生分解性プラスチックは植物の生育用に広く使用されつつあるが、その使用形態は、上述したように、ポット状に形成したり、シート状に形成したりした使用形態であり、材質の置き換え程度に過ぎないとも云える。
【先行技術文献】
【特許文献】
【０００５】
【特許文献１】特許第２９４０６０８号公報
【発明の開示】
【発明が解決しようとする課題】
【０００６】
本発明が解決しようとする課題は、従来の生分解性プラスチックの使用形態が材質の置き換え程度であるということであり、本発明は、生分解性プラスチックを利用して新しい使用形態の植物育成用物品を提供することを目的とするものである。
【課題を解決するための手段】
【０００７】
上述した課題を解決するために，本発明では、生分解性プラスチック製の綿が生分解性プラスチック製不織布により覆われ、周囲の少なくとも一部が融着されており、綿内に植物の種子が入れられている植物育成用物品を提案する。
【０００８】
また本発明では、生分解性プラスチック製の綿内に植物の種子を入れ、生分解性プラスチック製の不織布で覆い、この状態で超音波カッターにより所望の装飾形状に切断すると共に、切断個所を融着して構成する植物育成用物品の製造方法を提案する。
【発明の効果】
【０００９】
本発明の植物育成用物品は、そのまま皿等の適宜の容器に入れ、水耕栽培方式にて予め綿内に入れられた種子の栽培を行うことができる。
【００１０】
植物の発芽と育成に適した生分解性プラスチック製の綿は、その周囲が生分解性プラスチックの不織布に覆われているため、その装飾形状が維持され、そして全体としての装飾形状により、それ自体で室内のインテリアの一部としての機能を有する。
【００１１】
こうして本発明の植物育成用物品は、植物栽培の楽しみと共に、室内のインテリアとしたり、いわゆるキッチンガーデンにしたりと、様々な使用形態を実現することができる。
【００１２】
本発明の植物育成用物品は、生分解性プラスチック製の綿内に植物の種子を入れ、それを生分解性プラスチック製の不織布で覆った状態で超音波カッターによりにより切断すれば、その部分が溶融して融着するため、製品形状としての所望の装飾形状を容易に形成することができる。
【図面の簡単な説明】
【００１３】
【図１】図１は本発明に係る植物育成用物品の第１の実施の形態の平面図である。
【図２】図２は図１のＡ−Ａ線断面図である。
【図３】図３は本発明に係る植物育成用物品の第２の実施の形態の平面図である。
【図４】図４は本発明に係る植物育成用物品の第３の実施の形態の平面図である。
【図５】図５は本発明に係る植物育成用物品の使用形態の一例を示すものである。
【発明を実施するための形態】
【００１４】
次に、本発明の実施の形態を添付図面を参照して説明する。
まず図１、図２に示す第１の実施の形態において、符号１は本発明に係る植物育成用物品を概括的に示すもので、この植物育成用物品１は、生分解性プラスチック製の綿２内に適宜の植物の種子３を入れ、そして綿２を生分解性プラスチック製の不織布４で覆い、この状態で超音波カッターにより所望の装飾形状に切断して形成する。超音波カッターによる切断作業において、生分解性プラスチックの綿２及び不織布４の切断部位とその近傍部位５は、超音波により生じる摩擦熱により溶融して融着するため、切断された装飾形状が維持される。
【００１５】
装飾形状は、他の実施の形態にも示すように、植物由来の形状、例えば花冠形状や葉に似せた形状とする他、植物とは直接的な関係のない適宜の形状、例えば、動物やキャラクター等の形状とすることもできる。
【００１６】
ここで実施の形態の装飾形状を説明すると、図１に示す第１の実施の形態では、梅花の花冠を模した装飾形状、図３に示す第２の実施の形態では、桜花の花冠を模した装飾形状、図４に示す第３の実施の形態では、葉を模した装飾形状としたものである。
【００１７】
以上の構成の、本発明の植物育成用物品１は、そのまま皿等の適宜の容器６に入れ、水耕栽培方式にて予め綿内に入れられた種子の栽培を行うことができる。
【００１８】
ここで、植物の発芽と育成に適した生分解性プラスチック製の綿２は、その周囲が生分解性プラスチックの不織布４に覆われているため、その装飾形状が維持され、そして全体としての装飾形状により、それ自体で室内のインテリアの一部としての機能を有する。
【００１９】
こうして本発明の植物育成用物品１は、植物栽培の楽しみと共に、室内のインテリアとしたり、いわゆるキッチンガーデンにしたりと、様々な使用形態を実現することができる。
【００２０】
尚、本発明の植物育成用物品１を構成する生分解性プラスチックとしては、バイオマス由来のバイオプラスチックの他、場合によっては、石油由来の生分解性プラスチックを用いることもできる。
【符号の説明】
【００２１】
１              植物育成用物品
２              生分解性プラスチック製綿
３              植物の種子
４              生分解性プラスチック製不織布
５              切断部位又はその近傍部位
６              容器
【図１】
2011135844.tif 000003
【図２】
2011135844.tif 000004
【図３】
2011135844.tif 000005
【図４】
2011135844.tif 000006
【図５】
2011135844.tif 000007
(57)【要約】【課題】  一般に市販されている色々な形状、厚み、材質のスポンジを、柄に簡単に取付け、取り外しができることを課題にしている。【解決手段】  柄部１とスポンジ２とを備え、柄部１に対してスポンジ２が取付け、取外し可能になっている柄付洗浄具において、柄１は２本の棒３，４からなり、２本の棒３，４の一端を接着剤またはネジ５等で固着することによって、他端に二股挟持部３ａ，４ａを構成し、上記スポンジ２を挟持するとともに、該スポンジ２の厚みに応じて柄１に取付けたリング６の位置を調節して、上記スポンジ２を固定できるようにしたことを特徴とする。【選択図】図１
2011083562.tif 000002
【特許請求の範囲】
【請求項１】
柄とスポンジを備え、柄に対してスポンジが取付け、取外し可能となっている柄付洗浄具において、柄は２本の棒からなり、２本の棒の一端を固着することにより、他端に二股挟持部を構成し、上記スポンジを挟持するとともに、該スポンジの厚みに応じて柄に取付けたリングの位置を調節して、上記スポンジを固定できるようにしたことを特徴とする柄付洗浄具。
【請求項２】
上記柄は、二股挟持部の内側に鋸歯状突起を形成したことを特徴とする、請求項１に記載の柄付洗浄具。
【発明の詳細な説明】
【技術分野】
【０００１】  本発明は、洗浄具を柄に対して着脱可能にした柄付洗浄具に関し、特に麦茶等を入れる底の深い容器の洗浄具に関する。
【背景技術】
【０００２】  麦茶等を入れておくための底の深い容器を洗浄するには、一般的に柄の先端にスポンジを付けたタイプのものが広く使われている。【０００３】  なかにはスポンジを交換可能にしたものもあるが、スポンジと柄の両方に嵌合するための部材を取付けたものが多い。（例えば特許文献１参照）
また、スポンジの方には特に嵌合部材を取付けなくても、柄の先端に付けた二股挟持部でスポンジを挟んで固定するタイプもある（例えば特許文献２参照）
【先行技術文献】
【特許文献】
【０００４】
【特許文献１】特開２００２−０４５３２６号  広報
【特許文献２】特開２００１−１６９９９５号  広報
【発明の概要】
【発明が解決しようとしている課題】
【０００５】  以上に述べた従来の柄付洗浄具では、スポンジと柄の両方に嵌合部材を取り付けたものは、付けることのできるスポンジは限定されている。また、柄でスポンジを挟んで固定するタイプのものは、あらかじめ一定の形状に加工されたスポンジに限られていた。
【０００６】  本発明は、これらの問題点を解決するためになされたもので、
一般に市販されている色々な形状、厚み、材質のスポンジを柄に簡単に取付け、取外しが出来るようにすると共に、しっかりと取付けられるようにしたものである。
【課題を解決するための手段】
【０００７】  上記課題を解決するために本発明によれば、柄とスポンジを備え、柄に対しスポンジが取付けおよび取外し可能となっている柄付洗浄具であって、柄は２本の棒からなり、該２本の棒の一端を固着することによって、他端に二股挟持部を構成し、上記スポンジを挟持すると共に、該スポンジの厚みに応じて柄に取付けたリングの位置を調節して、上記スポンジを固定できるようにしたものである。
【０００８】  また、第２の課題解決手段は、上記二股挟持部に鋸歯状突起を形成したものである。
【発明の効果】
【０００９】  本発明は、どのような形状や厚みのスポンジ、または材質の違うスポンジでも柄に簡単に取付け取り外しができる。
【００１０】  また、上記二股挟持部に鋸歯状突起を形成することにより、さらにしっかり固定することができる。
【００１１】  このため、一般に市販されているスポンジを購入して取付けることができるので、スポンジが古くなっても交換すればよく、柄を捨てる必要がないので、経済的でもある。
【図面の簡単な説明】
【００１２】
【図１】  本発明の実施形態を示す斜視図
【図２】  同柄１の部分側面図
【図３】  同他の実施例を示す斜視図
【図４】  同他の実施例のスポンジを示す斜視図
【図５】  同他の実施例を示す斜視図
【発明を実施するための形態】
【００１３】  以下、本発明に係る洗浄具の代表的な実施形態について、図１〜図２を参照しながら詳細に説明する。
【００１４】    図１に示す柄付洗浄具の柄１は２本の木材を用いた棒３，４からなり、この棒３，４の一端を接着剤またはネジ５等で固着することにより、他端には二股挟持部３ａ，４ａが構成される。
【００１５】  このように構成した上記棒３，４の外周には、スポンジ２を挟む前に針金で形成したリング６を通しておく。
【００１６】  上記二股挟持部３ａ，４ａはスポンジ２を挟んでいない状態では閉じているので、スポンジ２を挟む時は木材の弾力性を利用して手で広げることによって、該スポンジ２を挟むことができる。
【００１７】  このスポンジ２を挟んだ後に、スポンジ２の厚みに応じて棒３，４の外周に取付けたリング６を移動して、しっかり固定できるような位置にリング６を調節して、上記スポンジ２を固定できるようにしたことを特徴としている。
【００１８】  また、上記の二股挟持部３ａ，４ａには図２に示すように鋸歯状突起７，８を互いに向き合うように形成することによって、なお一層しっかりとスポンジを固定することができる。
【００１９】  図３は本発明における他の実施例を示したもので、スポンジ１０は二つ折りにするか、何枚かに重ねて使用することもできる。また、材質的に硬いスポンジと柔らかいスポンジがあるが、リング６の位置を変えることによって、しっかり固定することができる。
【００２０】  図４〜図５は本発明における他の実施例を示したもので、図４に示すスポンジ１１は片側に研磨剤の入った不織布１２が一体形成されたものが市販されており、使い方としては不織布１２の上から二股挟持部３ａ，４ａで挟み込み固定することもできるが、できればスポンジ１１の一端にハサミ等で切込みを入れて溝１３を形成し、図５に示すごとく棒３，４のうちの一方を溝１３に差し込み、スポンジ１１を固定すると、不織布１２の全面を洗浄時に利用することができる。
【００２１】  また、一般に市販されているスポンジは寸法的に大きい場合、適当な大きさにハサミまたはカッターナイフ等でカットして使用することもできる。
【００２２】  上記棒３，４は実施例では木材を使用しているが、弾力性があり、手で簡単に広げることのできるものであればよく、樹脂、金属等でもよい。
【００２３】  また、上記実施例ではリング６として針金を使用しているが、樹脂等で成形したものでもよい。
【符号の説明】
【００２４】  １    柄
２    スポンジ
３，４  棒
３ａ，４ａ  二股挟持部
５    ネジ
６    リング
７，８  鋸歯状突起
９    引掛け部
１０  スポンジ
１１  スポンジ
１２  不織布
１３  溝
【図１】
2011083562.tif 000003
【図２】
2011083562.tif 000004
【図３】
2011083562.tif 000005
【図４】
2011083562.tif 000006
【図５】
2011083562.tif 000007
(57)【要約】      （修正有）【課題】少ない労力かつさまざまな条件のもと停滞水防止継手とスプリンクラーヘッドを天井裏に固定する工法を開発し、柔軟性を持つ樹脂管によるスプリンクラー配管支持を容易にする。【解決手段】プレートにネジを彫った棒とナットが取り付けられている配管支持金具を天井下地材に取付け、その支持金具にニップルを取り付けた停滞水防止継手とスプリンクラーヘッドを取り付けた。天井下地材が軽鉄材料の場合は、プレートにネジを彫った棒とナットが取り付けられている配管支持金具を天井下地材に設置したファイリング又は角バーと呼ばれる金物に取付け、停滞水防止継手とスプリンクラーヘッドを固定する。また、ナットを蝶ネジとしても効果は同様である。【選択図】図１
2011083565.tif 000002
【特許請求の範囲】
【請求項１】
プレートにネジを彫った棒とナットが取り付けられている配管支持金具を天井下地材に取付け、停滞水防止継手とスプリンクラーヘッドを固定することを特徴とする工法。
【請求項２】
プレートにネジを彫った棒とナットが取り付けられている配管支持金具を天井下地材に設置した金物に取付け、停滞水防止継手とスプリンクラーヘッドを固定することを特徴とする工法
【請求項３】
プレートにネジを彫った棒と蝶ネジが取り付けられている配管支持金具を使用した請求項１の工法
【請求項４】
プレートにネジを彫った棒と蝶ネジが取り付けられている配管支持金具を使用した請求項２の工法
【発明の詳細な説明】
【技術分野】
【０００１】この発明はスプリンクラー配管支持工法に関するものである。
【背景技術】
【０００２】水道管に直結するスプリンクラー消火設備では、柔軟な樹脂管で配管されることがある。
樹脂管は扱いやすい反面、柔軟であるがゆえ配管がたるみ、ふらついてしまう。ここで停滞水防止継手とスプリンクラーヘッドを天井裏に固定する必要性が生じるが、その術があまりない。
従来は天井裏の梁等にあて木を打ちつけ、そのあて木に停滞水防止継手とスプリンクラーヘッドを取り付けて固定していた。
しかしこれは多大な労力を要することや、梁と天井仕上げ面との距離が大きいとふらつきやすいこと、あて木を打ちつける対象物がない時等、多数の欠点がある。
また木材は燃えるため、できれば使用を避けたい材質でもある。
【発明の開示】
【発明が解決しようとする課題】
【０００３】本発明者は、少ない労力かつさまざまな条件のもと容易に停滞水防止継手とスプリンクラーヘッドを天井裏に固定する方法の研究を重ねた。
【課題を解決するための手段】
【０００４】本発明は、少ない労力かつさまざまな条件のもと容易に停滞水防止継手とスプリンクラーヘッドを天井裏に固定するため、次の手段をとった。
プレートにネジを彫った棒とナットが取り付けられている配管支持金具を天井下地材に取付け、その支持金具にニップルを取り付けた停滞水防止継手とスプリンクラーヘッドを取り付けた。
天井下地材が軽鉄材料の場合は、プレートにネジを彫った棒とナットが取り付けられている配管支持金具を天井下地材に設置したファイリング又は角バーと呼ばれる金物に取付け、停滞水防止継手とスプリンクラーヘッドを取り付けた。
あとはニップルに樹脂管を接合すればよいことである。
ここで流用した配管支持金具は通常床上に配管を固定するためのものである。一般にはフロアーバンドと呼ばれている。
支持金具やニップルは金属製を想定してはいるが、強度が確保できれば他の材質とすることも可能である。
以上の構成よりなるスプリンクラー配管支持の工法である。
※必要が生じるなら同等の構造品を製作し、専用品としてもよい。
【発明の効果】
【０００５】本発明は以上の構成によりなるため、天井下地材さえあれば容易に停滞水防止継手とスプリンクラーヘッドを固定することが可能である。労力も少なくすむこととなる。
また重要なこととして、流用した配管支持金具はネジ棒とナットにより高さの調整をすることが可能である。これは天井仕上げ面とスプリンクラーヘッドの高さを合わせるときに非常に有効である。
※停滞水防止継手のスプリンクラーヘッド取付け口にストレート形継手を取り付けることも可能であるが、延長制限があるため、支持金具側でも調整可能となれば、さらに施工が容易となる。
【発明を実施するための最良の形態】
【０００６】以下、本発明の実施例について説明する。
プレートにネジを彫った棒とナットが取り付けられている配管支持金具を天井下地材に取付け、その支持金具にニップルを取り付けた停滞水防止継手とスプリンクラーヘッドを取り付けた。
天井下地材が軽鉄材料の場合は、プレートにネジを彫った棒とナットが取り付けられている配管支持金具を天井下地材に設置したファイリング又は角バーと呼ばれる金物に取付け、停滞水防止継手とスプリンクラーヘッドを固定する。
天井下地材は木材や金属製のものがあるが、この工法を用いればどちらの材質であっても対応は可能である。
流用した配管支持金具はネジ棒とナットにより高さの調整ができるため、天井仕上げ面とスプリンクラーヘッドの高さ調整が可能である。
【図面の簡単な説明】
【０００７】
【図１】  本発明の正面図
【図２】  本発明の側面図
【図３】  金物を用いた本発明の正面図
【図４】  金物を用いた本発明の側面図
【図５】  蝶ネジを用いた本発明の側面図
【符号の説明】  １  停滞水防止継手
２  スプリンクラーヘッド
３  支持金具（バンド）
４  支持金具（ネジ棒）
５  支持金具（ナット）
６  支持金具（プレート）
７  取り付けネジ
８  支持金具（蝶ネジ）
９  金物
１０  天井下地材
１１  天井仕上げ面
１２  ニップル
【図１】
2011083565.tif 000003
【図２】
2011083565.tif 000004
【図３】
2011083565.tif 000005
【図４】
2011083565.tif 000006
【図５】
2011083565.tif 000007